(57)【要約】  空気質監視装置（１０）は、所定範囲内にある複数の空間（住戸）の窓（２０）に対応して設置された窓センサ（３０）から窓情報を収集する窓情報収集部（１１）と、窓情報収集部（１１）で収集した窓情報に基づいて、複数の空間の窓（２０）が窓開状態であるか否かを判断する窓開状態判断部（１２）と、窓開状態判断部（１２）によって複数の窓（２０）の少なくとも１つが窓開状態であると判断された場合、複数の空間のユーザ端末（５０）に所定の情報を報知させる報知部（１３）とを備え、窓開状態は、窓が開けられている状態である開状態、又は、窓が閉められている状態である閉状態から前記開状態へと変化する状態である閉開遷移状態である。
2016021150.tif 000002
【特許請求の範囲】
【請求項１】
所定範囲内にある複数の空間の窓に対応して設置された窓センサから窓情報を収集する窓情報収集部と、
前記窓情報収集部で収集した前記窓情報に基づいて、前記複数の空間の窓が窓開状態であるか否かを判断する窓開状態判断部と、
前記窓開状態判断部によって前記複数の窓の少なくとも１つが前記窓開状態であると判断された場合、前記複数の空間の少なくとも１つのユーザ端末に所定の情報を報知させる報知部とを備え、
前記窓開状態は、窓が開けられている状態である開状態、又は、窓が閉められている状態である閉状態から前記開状態へと変化する状態である閉開遷移状態である
空気質監視装置。
【請求項２】
前記所定の情報は、前記複数の窓のうち、前記窓開状態となっている窓の割合である
請求項１に記載の空気質監視装置。
【請求項３】
所定範囲内にある複数の空間の窓に対応して設置された窓センサから窓情報を収集する窓情報収集部と、
前記窓情報収集部で収集した前記窓情報に基づいて、前記複数の空間の窓が窓開状態であるか否かを判断する窓開状態判断部と、
所定範囲内にある複数の空間に設置された空気質センサから空気質情報を収集する空気質情報収集部と、
前記空気質情報収集部で収集した前記空気質情報に基づいて、前記複数の空間の空気質を判断する空気質判断部と、
前記窓開状態判断部によって前記複数の空間の窓の少なくとも１つが前記窓開状態であり、且つ前記空気質判断部によって前記複数の空間の少なくとも１つの空気質が悪い状態であると判断された場合に、前記複数の空間の少なくとも１つのユーザ端末に所定の情報を報知させる報知部とを備える
空気質監視装置。
【請求項４】
前記窓開状態判断部は、前記窓情報に基づいて、前記複数の窓が、窓が閉められている状態である閉状態から窓が開けられている状態である開状態へと変化する状態である閉開遷移状態であるか否かを判断し、
前記空気質判断部は、当該閉開遷移状態の窓が設置された前記空間の空気質を判断する
請求項３に記載の空気質監視装置。
【請求項５】
前記所定の情報は、前記複数の空間のうち、空気質が悪い状態の空間である
請求項３又は４に記載の空気質監視装置。
【請求項６】
前記所定範囲内の前記複数の空間は、集合住宅における複数の住戸であり、
前記空気質判断部によって前記複数の住戸のうちの一の住戸の空気質が悪化したと判断された場合に、前記報知部は、前記複数の住戸のうちの他の住戸における前記ユーザ端末に前記所定の情報を報知させる
請求項３〜５のいずれか１項に記載の空気質監視装置。
【請求項７】
請求項３〜６のいずれか１項に記載の空気質監視装置と、
前記空気質センサと、
前記複数の空間に設置された複数の窓に対応する窓センサとを備える
空気質監視システム。
【発明の詳細な説明】
【技術分野】
【０００１】
本発明は、空気質監視装置及び空気質監視システムに関する。
【背景技術】
【０００２】
住宅やオフィスビル等の住空間においては、室内を換気するために例えば窓開けを行う。窓開けを行うことによって室内の汚れた空気を室外の新鮮な空気と入れ替えることができ、室内の空気質を清浄化することができる。【０００３】
従来、所望の窓開けを行うことによって、住空間の空気質を改善できる空気質改善システムが提案されている（例えば特許文献１）。
【先行技術文献】
【特許文献】
【０００４】
【特許文献１】特開２００５−２０１５８０号公報
【発明の概要】
【発明が解決しようとする課題】
【０００５】
しかしながら、空気質改善システムを導入したとしても、室外の空気（外気）そのものが汚れていると、窓開けを行っても室内の空気質を改善できない場合がある。特に、近年、外気の空気質が悪化している地域や悪化する時期があり、窓開けを行っても必ずしも室内の空気質を改善できるとは限らない。【０００６】
一方、センサ等によって外気の空気質の状態を知ることができれば適切な窓開けを行うことができるが、ユーザが外気の空気質の状態を直接把握することは容易ではない。【０００７】
本発明は、このような課題に鑑みてなされたものであり、外気の空気質の状態を直接把握することができなくても、所定範囲内にある空間の空気質を改善するために適切な窓開けを行うことができる空気質監視装置及び空気質監視システムを提供することを目的とする。
【課題を解決するための手段】
【０００８】
上記目的を達成するために、本発明に係る空気質監視装置の一態様は、所定範囲内にある複数の空間の窓に対応して設置された窓センサから窓情報を収集する窓情報収集部と、前記窓情報収集部で収集した前記窓情報に基づいて、前記複数の空間の窓が窓開状態であるか否かを判断する窓開状態判断部と、前記窓開状態判断部によって前記複数の窓の少なくとも１つが前記窓開状態であると判断された場合、前記複数の空間の少なくとも１つのユーザ端末に所定の情報を報知させる報知部とを備え、前記窓開状態は、窓が開けられている状態である開状態、又は、窓が閉められている状態である閉状態から前記開状態へと変化する状態である閉開遷移状態であることを特徴とする。【０００９】
また、本発明に係る空気質監視装置の他の一態様は、所定範囲内にある複数の空間の窓に対応して設置された窓センサから窓情報を収集する窓情報収集部と、前記窓情報収集部で収集した前記窓情報に基づいて、前記複数の空間の窓が窓開状態であるか否かを判断する窓開状態判断部と、所定範囲内にある複数の空間に設置された空気質センサから空気質情報を収集する空気質情報収集部と、前記空気質情報収集部で収集した前記空気質情報に基づいて、前記複数の空間の空気質を判断する空気質判断部と、前記窓開状態判断部によって前記複数の空間の窓の少なくとも１つが前記窓開状態であり、且つ前記空気質判断部によって前記複数の空間の少なくとも１つの空気質が悪い状態であると判断された場合に、前記複数の空間の少なくとも１つのユーザ端末に所定の情報を報知させる報知部とを備えることを特徴とする。
【発明の効果】
【００１０】
本発明によれば、外気の空気質が良いと推測できるときに窓開けを行うことができるので、所定範囲内にある空間の空気質を改善することができる。
【図面の簡単な説明】
【００１１】
【図１】図１は、実施の形態１に係る空気質監視システムが導入されたマンションの外観図である。
【図２】図２は、実施の形態１に係る空気質監視システム及び空気質監視装置の構成を説明するための図である。
【図３】図３は、実施の形態１に係る空気質監視装置における記憶部が記憶する窓情報の一例を示す図である。
【図４】図４は、実施の形態２に係る空気質監視システム及び空気質監視装置の構成を説明するための図である。
【図５】図５は、実施の形態３に係る空気質監視システム及び空気質監視装置の構成を説明するための図である。
【図６】図６は、変形例１に係る空気質監視システムの構成を説明するための図である。
【図７】図７は、変形例２に係る空気質監視システム及び空気質監視装置の構成を説明するための図である。
【発明を実施するための形態】
【００１２】
以下、本発明の実施の形態について、図面を参照しながら説明する。以下に説明する実施の形態は、いずれも本発明の好ましい一具体例を示すものである。したがって、以下の実施の形態で示される構成要素、構成要素の配置位置及び接続形態等は、一例であって本発明を限定する主旨ではない。よって、以下の実施の形態における構成要素のうち、本発明の最上位概念を示す独立請求項に記載されていない構成要素については、任意の構成要素として説明される。
【００１３】
なお、各図において、実質的に同一の構成に対しては同一の符号を付しており、重複する説明は省略又は簡略化する。
【００１４】
（実施の形態１）
まず、実施の形態１に係る空気質監視システム１及び空気質監視装置（統合コントローラ１０）について、図１及び図２を用いて説明する。図１は、実施の形態１に係る空気質監視システムが導入されたマンションの外観図である。図２は、実施の形態１に係る空気質監視システム及び空気質監視装置の構成を説明するための図である。
【００１５】
図１に示すように、本実施の形態における空気質監視システム１は、例えば、複数の住戸（住居）からなるマンション（集合住宅）１００に導入される。図２には、図１における複数の住戸のうち、４つの住戸１０１、１０２、１０３及び１０４が図示されている。なお、本明細書では、マンション１００の全ての住戸（全戸）のうちの一部の住戸（本実施の形態では４つの住戸１０１〜１０４）についてのみ説明するが、本発明は、マンション１００の全ての住戸にも適用できる。
【００１６】
４つの住戸１０１、１０２、１０３及び１０４の各々は、マンション１００という所定範囲内にある空間の一例であり、本実施の形態では、４階、３階、２階及び１階の住空間である。
【００１７】
図１及び図２に示すように、住戸１０１〜１０４の各々には、１つ又は複数の窓２０が設置されている。窓２０は、室内の空間と室外の空間とを仕切るとともに開閉自在である。したがって、窓２０を開けることによって室内外の空気を入れ替えることができる。なお、図１及び図２において、住戸１０１〜１０４の各住戸には１つの窓２０しか設置されていないが、各住戸には複数の窓２０が設置されていてもよい。例えば、窓２０は、リビング、キッチン、寝室又は子供部屋等、各住戸の閉空間に、１つ又は複数設置される。
【００１８】
図２に示すように、空気質監視システム１は、マンション（集合住宅）１００という所定の範囲内にある複数の住空間（住戸）の各々の空気質を監視するためのシステムであって、統合コントローラ（空気質監視装置）１０と、窓２０に対応して設置された窓センサ３０と、宅内コントローラ４０と、ユーザ端末５０とを備える。
【００１９】
窓センサ３０、宅内コントローラ４０及びユーザ端末５０は、住戸１０１〜１０４の各々に配置されている。なお、住戸１０４〜１０４の各々に複数の部屋がある場合、窓センサ３０は各部屋の窓２０ごとに設置されていてもよい。また、この場合、宅内コントローラ４０及びユーザ端末５０は、住戸１０４〜１０４の各々に１つずつ配置されていればよいが、部屋ごとに配置されていてもよい。
【００２０】
統合コントローラ１０は、住戸１０１〜１０４の各々と通信可能であり、具体的には、統合コントローラ１０は、各住戸における、宅内コントローラ４０を介して、窓センサ３０、宅内コントローラ４０及びユーザ端末５０と通信可能である。
【００２１】
宅内コントローラ４０は、統合コントローラ１０と通信を行ったり、各住戸において窓センサ３０及びユーザ端末５０と通信を行ったりする。
【００２２】
窓センサ３０は、例えば各窓２０に対応して設けられており、各窓２０の開閉状態を検知する。なお、窓センサ３０によって検知された窓２０の開閉状態を示す情報は、宅内コントローラ４０を介して統合コントローラ１０に送信される。
【００２３】
ユーザ端末５０には、統合コントローラ１０から所定の情報が報知される。本実施の形態では、ユーザ端末５０には、統合コントローラ１０から各住戸の窓２０の開閉状態を示す情報が宅内コントローラ４０を介して送信（通知）される。ユーザ端末５０は、受信した窓２０の開閉状態を示す情報を表示する。
【００２４】
ユーザ端末５０は、例えば、スマートフォン等の携帯端末、ＴＶ等の表示装置、又は、住空間の壁に設置された壁付けモニタ等である。つまり、統合コントローラ１０から送信された各住戸の窓２０の開閉状態を示す情報は、例えば、文字表示又は画像表示等としてユーザ端末５０の表示画面に表示される。なお、ユーザ端末５０における情報の報知手段は、画面表示に限らず、ＬＥＤ表示又は音声等の音であってもよい。
【００２５】
統合コントローラ１０は、窓情報収集部１１と、窓開状態判断部１２と、報知部１３と、記憶部１４とを備える。
【００２６】
窓情報収集部１１は、各住戸の所定の窓２０に対応して設置された窓センサ３０から窓情報を収集する。例えば、窓情報収集部１１は、住戸１０１〜１０４の各々に設置された窓センサ３０の各々から窓情報を収集する。つまり、窓情報収集部１１は、複数の窓センサ３０の各々から窓情報を収集することで、複数の窓情報を収集する。
【００２７】
上述のように、窓センサ３０は、窓２０の開閉状態を検知する。したがって、窓センサ３０から得られる窓情報は、窓２０の開閉状態を示す情報であり、例えば、窓開状態を示す情報、及び、窓閉状態を示す情報である。窓開状態とは、窓２０が開けられている状態（開状態）、又は、窓２０が閉められている状態（閉状態）から窓２０が開けられている状態（開状態）へと変化する状態（閉開遷移状態）のことである。一方、窓閉状態とは、窓２０が閉められている状態（閉状態）、又は、窓２０が開いている状態（開状態）から窓２０が閉められている状態（閉状態）へと変化する状態（開閉遷移状態）のことである。
【００２８】
一例として、図１及び図２では、住戸１０１及び１０３の窓２０が閉状態となっており、住戸１０２及び１０３の窓２０が開状態となっている。また、図１における住戸１０５の窓２０は閉開遷移状態である。
【００２９】
窓開状態判断部１２は、窓情報収集部１１で収集した窓情報に基づいて、複数の住戸の各々の窓２０が窓開状態であるか否かを判断する。例えば、窓情報収集部１１によって住戸１０１〜１０４の各々の窓２０の窓情報（４つの窓情報）を収集した場合、窓開状態判断部１２は、これらの窓情報に基づいて、住戸１０１〜１０４の各々の窓２０が窓開状態であるか否か、つまり、窓２０が開状態又は閉開遷移状態であるか、あるいは、窓２０が開状態及び閉開遷移状態のいずれでもないかを判断する。
【００３０】
なお、本実施の形態では、統合コントローラ１０は、窓開状態判断部１２によって各住戸の窓２０が窓開状態であるか否かを判断したが、さらに、窓情報収集部１１で収集した窓情報に基づいて、複数の住戸の各々の窓２０が窓閉状態であるか否かを判断してもよい。
【００３１】
報知部１３は、窓開状態判断部１２によって複数の住戸に対応する複数の窓２０の少なくとも１つが窓開状態であると判断された場合に、複数の住戸の少なくとも１つのユーザ端末５０に所定の情報を報知させる。例えば、窓開状態判断部１２によって住戸１０１〜１０４の窓２０の少なくとも１つが窓開状態であると判断された場合、報知部１３は、住戸１０４〜１０４のユーザ端末５０に所定の情報を通知して報知させる。
【００３２】
なお、本実施の形態では、統合コントローラ１０は、複数の窓２０の少なくとも１つが窓開状態であると判断された場合に、ユーザ端末５０に所定の情報を報知させたが、予め設定された所定の数の窓２０が開状態であると判断された場合に、ユーザ端末５０に所定の情報を報知させてもよい。この場合、例えば、複数の窓２０のうち窓開状態となっている窓２０の割合が所定の値以上のときに、ユーザ端末５０に所定の情報を報知させてもよい。
【００３３】
ユーザ端末５０が報知する所定の情報は、例えば、窓情報を収集できた複数の窓２０のうち現時点において窓開状態となっている窓２０の数（図２では２個）、又は、窓情報を収集できた複数の窓２０のうち窓開状態となっている窓２０の割合（図２では、５０％（２／４））である。
【００３４】
例えば、ユーザ端末５０では、通知された所定の情報が表示されるが、ユーザ端末５０に表示される所定の情報は、窓情報収集部１１で収集した窓情報と同じ情報であってもよいし、異なった情報であってもよいし、同じ情報と異なった情報の両方であってもよい。
【００３５】
記憶部１４は、各住戸について収集した窓２０の窓情報（開閉状態）を記憶する。例えば、記憶部１４には、図３に示すような窓情報が記憶される。図３において、「開」は窓２０が開状態であることを示しており、「閉」は窓２０が閉状態であることを示している。また、図３に示される数字は、開状態又は閉状態となっている窓２０の数を示している。なお、図３では、住空間の一例として、リビング、キッチン及び子供部屋を示しており、各階ごとに複数の住戸の住空間をリビング等の種類ごとにまとめたときの数を示している。
【００３６】
次に、本実施の形態における空気質監視システム１及び空気質監視装置（統合コントローラ１０）の制御について説明する。
【００３７】
まず、統合コントローラ１０は、マンション１００の各住戸（部屋）に設置された窓センサ３０によって、窓情報として、現時点における各住戸の窓２０の開閉状態に関する情報を取得する。
【００３８】
具体的には、窓情報収集部１１は、各住戸の宅内コントローラ４０を介して各住戸に設置された窓センサ３０から窓２０の窓情報を収集する。そして、窓開状態判断部１２は、窓情報収集部１１で収集した窓情報に基づいて、各住戸の窓２０が窓開状態であるか否かを判断する。
【００３９】
なお、窓センサ３０によって得られる窓２０の窓情報は、定期的に又は窓２０の開閉状態が変化したときに、宅内コントローラ４０を経由して統合コントローラ１０に通知するように設定されていてもよい。
【００４０】
次に、統合コントローラ１０は、取得した窓２０の開閉状態に関する情報に基づいて、各住戸のユーザ端末５０に当該住戸とは別の他の住戸についての窓２０の開閉状態に関する情報を通知して、ユーザ端末５０に所定の情報を報知させる。
【００４１】
具体的には、報知部１３は、窓開状態判断部１２によって複数の住戸に対応する複数の窓２０の少なくとも１つが窓開状態であると判断された場合に、各住戸のユーザ端末５０に、マンション１００における複数の住戸の窓２０の窓開状態に関する情報を通知して報知させる。窓２０の窓開状態に関する情報は、例えば、宅内コントローラ４０を経由してユーザ端末５０（モニタ）に表示されることで報知される。なお、報知するユーザ端末５０（住戸）は、１つであってもよし、複数であってもよいし、全戸であってもよい。
【００４２】
窓２０の開閉状態に関する情報が報知されたユーザ端末５０を保有するユーザは、当該ユーザ端末５０によって報知された窓２０の窓開状態の情報に基づいて、当該ユーザ自身の住戸の窓２０の窓開けをするか否かを判断する。
【００４３】
例えば、窓２０の開閉状態に関する情報が、開状態の窓２０が多いという情報である場合、外気が汚れていないから他のユーザは窓開けを行っていると推測することできる。したがって、この場合、ユーザは、自身の住戸の窓２０の窓開けを行うことで室内の空気質を改善できると判断できる。
【００４４】
一方、窓２０の開閉状態に関する情報が、開状態の窓２０がほとんどないという情報である場合、外気が汚れているから他のユーザは窓開けを行っていないと推測できる。したがって、この場合、ユーザは、自身の住戸の窓２０の窓開けを行っても室内の空気質を改善できないと判断できる。
【００４５】
以上説明したように、本実施の形態における統合コントローラ１０（空気質監視装置）は、マンション１００の各住戸の窓センサ３０から窓２０の窓情報を収集する窓情報収集部１１と、窓情報収集部１１で収集した窓情報に基づいて各住戸の窓２０が窓開状態であるか否かを判断する窓開状態判断部１２と、窓開状態判断部１２によって各住戸の窓２０の少なくとも１つが窓開状態であると判断された場合に各住戸のユーザ端末５０に所定の情報を報知させる報知部１３とを備えている。また、本実施の形態における空気質監視システム１は、上記統合コントローラ１０を有する。
【００４６】
したがって、本実施の形態における空気質監視システム１及び統合コントローラ１０によれば、窓開けを行うか否かの適切な情報をユーザに提供することができる。具体的には、窓開けに適しているか否かの情報として各住戸の窓２０の開閉状態に関する情報がリアルタムでユーザに報知される。
【００４７】
これにより、当該住戸のユーザは、他の住戸のユーザ（他人）の窓開けに関する情報を得ることができるので、外気の空気質の状態を推測することができる。したがって、外気の空気質が悪いと考えられるときには窓開けを行わず、一方、外気の空気質が良いと考えられるときに窓開けを行うことができる。
【００４８】
つまり、外気の空気質の状態を直接把握することができなくても、外気の空気質が良いと推測できるタイミングで適切に窓開けを行うことが可能となる。この結果、当該住戸における室内の空気質を改善できる確率を高めることができる。
【００４９】
なお、本実施の形態における空気質監視システム１及び統合コントローラ１０によれば、窓開けに適しているか否かの今後の予測情報をユーザに提供することもできるし、窓開けを行った後、室内の空気質の改善予測（レベル、時間）又は悪化予測（レベル、時間）をユーザに提供することもできる。
【００５０】
（実施の形態２）
次に、実施の形態２に係る空気質監視システム２及び空気質監視装置（統合コントローラ１０Ａ）について、図４を用いて説明する。図４は、実施の形態２に係る空気質監視システム及び空気質監視装置の構成を説明するための図である。
【００５１】
図４に示すように、本実施の形態における空気質監視システム２も、例えば、複数の住戸からなるマンション（集合住宅）２００に導入されている。なお、図４には、複数の住戸のうち、４つの住戸２０１、２０２、２０３及び２０４が図示されている。また、住戸２０１〜２０４の各々には、実施の形態１の住戸１０１〜１０４と同様に、１つ又は複数の窓２０が設置されている。
【００５２】
図４に示すように、本実施の形態における空気質監視システム２は、統合コントローラ（空気質監視装置）１０Ａと、窓センサ３０と、宅内コントローラ４０と、ユーザ端末５０と、空気質センサ６０と、空気質改善装置７０とを備える。
【００５３】
窓センサ３０、宅内コントローラ４０、ユーザ端末５０、空気質センサ６０及び空気質改善装置７０は、住戸２０１〜２０４の各々に配置されている。統合コントローラ１０Ａは、住戸２０１〜２０４の各々と通信可能であり、具体的には、統合コントローラ１０Ａは、各住戸における、宅内コントローラ４０を介して、窓センサ３０、宅内コントローラ４０、ユーザ端末５０、空気質センサ６０及び空気質改善装置７０と通信可能である。
【００５４】
宅内コントローラ４０は、統合コントローラ１０Ａと通信を行ったり、各住戸において、窓センサ３０、ユーザ端末５０、空気質センサ６０及び空気質改善装置７０と通信を行ったりする。
【００５５】
本実施の形態において、ユーザ端末５０には、統合コントローラ１０Ａから各住戸の窓２０の窓情報及び各住戸の空気質を示す情報（空気質情報）が報知される。具体的には、ユーザ端末５０には、統合コントローラ１０Ａから各住戸における窓２０の開閉状態を示す情報及び空気質情報が宅内コントローラ４０を介して送信（通知）される。ユーザ端末５０は、受信した情報（窓２０の開閉状態を示す情報及び空気質情報）を表示する。
【００５６】
空気質センサ６０は、各住戸の空気質を検知する。例えば、空気質センサ６０は、空気質センサ６０が設置された部屋内における空気質の汚れ度合いを検知する。なお、空気質センサ６０によって検知された空気質を示す情報は、宅内コントローラ４０を介して統合コントローラ１０Ａに送信される。
【００５７】
なお、本実施の形態では、各住戸に窓センサ３０及び空気質センサ６０が設置されているので、窓センサ３０によって窓開け開始を検知してから空気質を定期的に測定することによって空気質の経時的変化を蓄積することができる。これにより、空気質が悪化しているのか改善しているのかを把握することができる。
【００５８】
空気質改善装置７０は、例えば空気清浄機である。空気質改善装置７０の運転制御は、ユーザが空気質改善装置７０のスイッチ等を押すことで直接行うこともできるが、宅内コントローラ４０を介して行うこともできる。
【００５９】
統合コントローラ１０Ａは、窓情報収集部１１と、窓開状態判断部１２と、報知部１３と、記憶部１４と、空気質情報収集部１５と、空気質判断部１６とを備える。
【００６０】
空気質情報収集部１５は、各住戸に設置された空気質センサ６０から空気質情報を収集する。例えば、空気質情報収集部１５は、住戸２０１〜２０４の各々に設置された空気質センサ６０の各々から空気質情報を収集する。つまり、空気質情報収集部１５は、複数の空気質センサ６０の各々から空気質情報を収集することで、複数の空気質情報を収集する。
【００６１】
空気質判断部１６は、空気質情報収集部１５で収集した空気質情報に基づいて、複数の住戸の各々の空気質を判断する。例えば、空気質情報収集部１５によって住戸２０１〜２０４の各々の空気質情報を収集した場合、空気質判断部１６は、これらの空気質情報に基づいて、住戸２０１〜２０４の室内の空気質の現時点における空気質の程度（汚れ度合い）、経時的な空気質の変化（時間に対する空気質の傾き）、又は、空気質の変化の程度等を判断する。経時的な空気質の変化を判断することによって、空気質が上がり調子で変化（改善）しているのか、空気質が下がり調子で変化（悪化）しているのかを判断することができる。空気質判断部１６は、例えば、閾値処理によって空気質の程度、変化又は変化の程度を判断する。なお、空気質の程度（汚れ度合いの指標）は、ＰＭ２．５の値、Ｃｏ２値、温湿度、揮発性有機化合物（VOC：Volatile Organic Compounds）又は埃等である。
【００６２】
また、収集した複数の空気質情報を必要な情報と不要な情報とに分けて、必要な情報のみに基づいて空気質を判断してもよい。例えば、西側の住戸の空気質情報は必要な情報で、東側の住戸の空気質情報は不要な情報として扱ってもよい。また、高層階の住戸の空気質情報は必要な情報で、低層階の住戸の空気質情報は不要な情報として扱ってもよい。
【００６３】
本実施の形態における報知部１３は、窓開状態判断部１２によって複数の住戸の各々に対応した複数の窓２０の少なくとも１つが窓開状態であると判断された場合に、複数の住戸の各々のユーザ端末５０に所定の情報を通知して報知させる。
【００６４】
さらに、報知部１３は、空気質判断部１６によって複数の住戸の少なくとも１つの空気質が悪い状態であると判断された場合に、複数の住戸の各々のユーザ端末５０に所定の情報を報知させてもよい。例えば、報知部１３は、空気質判断部１６によって、複数の住居のうちの一の住居の空気質が悪い状態で続いていると判断された場合、又は、複数の住居のうちの一の住居の空気質が悪化したと判断された場合に、複数の住居のうちの他の住居におけるユーザ端末５０に所定の情報を通知して報知させてもよい。
【００６５】
ユーザ端末５０が報知する所定の情報は、各住戸における窓情報及び空気質情報である。窓情報は、実施の形態１と同様である。空気質情報は、例えば、空気質情報を収集できた複数の住戸（住空間）のうち現時点において空気質が悪い状態の住戸（つまり空気質が悪い場所）、又は、空気質情報を収集できた複数の住戸のうち空気質が悪い状態の住戸の割合である。空気質が悪い状態とは、空気質が悪い状態で続いている場合の他に、空気質が悪化した（空気質の汚れ度が悪くなる方向に変化した）状態も含まれる。また、空気質が悪い場所とは、例えば、マンション２００における１階や最上階の住戸又は北側や南側の住戸等である。なお、ユーザ端末５０が報知する所定の情報には、空気質が悪化した程度が含まれていてもよい。
【００６６】
また、本実施の形態における記憶部１４は、各住戸について収集した窓２０の窓情報（開閉状態）を記憶だけではなく、各住戸について収集した空気質情報を記憶する。例えば、記憶部１４には、各住戸における、リビング、キッチン及び子供部屋等の住空間についての空気質情報が記憶されている。
【００６７】
次に、本実施の形態における空気質監視システム２及び空気質監視装置（統合コントローラ１０Ａ）の制御について説明する。
【００６８】
まず、統合コントローラ１０Ａは、マンション２００の各住戸（部屋）に設置された空気質センサ６０によって、現時点における各住戸の空気質に関する情報を取得する。
【００６９】
具体的には、空気質情報収集部１５は、各住戸の宅内コントローラ４０を介して各住戸に設置された空気質センサ６０から空気質情報を収集する。そして、空気質判断部１６は、空気質情報収集部１５で収集した空気質情報に基づいて、各住戸の空気質を判断する。
【００７０】
なお、空気質センサ６０によって得られる空気質情報は、定期的に又は空気質が変化したときに、宅内コントローラ４０を経由して統合コントローラ１０Ａに通知するように設定されていてもよい。
【００７１】
次に、統合コントローラ１０Ａでは、空気質判断部１６によって複数の住戸の少なくとも１つの空気質が悪い状態であると判断された場合に、窓開状態判断部１２は、複数の住戸の窓２０に対応して設置された窓センサ３０から収集した窓情報に基づいて、当該複数の住戸の窓２０が窓開状態であるか否かを判断する。
【００７２】
次に、統合コントローラ１０Ａでは、窓開状態判断部１２によって複数の窓２０の少なくとも１つが窓開状態であると判断された場合、報知部１３は、複数の住戸のユーザ端末５０に所定の情報を報知させる。
【００７３】
例えば、報知部１３は、所定の情報として、一の住戸における空気質情報及び窓２０の開閉状態に関する情報を、他の住戸におけるユーザ端末５０に通知して報知させる。空気質情報及び窓２０の開閉状態に関する情報は、例えば、宅内コントローラ４０を経由してユーザ端末５０（モニタ）に表示される。
【００７４】
空気質情報及び窓２０の開閉状態に関する情報が報知されたユーザ端末５０を保有するユーザは、当該ユーザ端末５０に報知された空気質情報及び窓２０の開閉状態に関する情報に基づいて、当該ユーザ自身の住戸の窓２０の窓開けをするか否かを判断する。
【００７５】
例えば、他の住戸の窓２０の開閉状態に関する情報として、窓開状態のうち窓２０が開けられている状態である開状態の情報が多い場合で、かつ、他の住戸の空気質情報として空気質が良いという情報が多い場合、外気が汚れていないから他の住戸のユーザが窓開けを行っているのではないかと推測できる。したがって、この場合、ユーザは、自身の住戸の窓２０の窓開けを行うことによって室内の空気質を改善できると判断できる。
【００７６】
特に、他の住戸の窓２０の開閉状態に関する情報として、閉状態から開状態へと変化する状態である閉開遷移状態の窓２０が含まれる場合には、現在の外気が汚れていないから他のユーザは窓２０を開けているのではないかと推測できる。
【００７７】
なお、窓２０が開状態であるという情報が含まれていながら、空気質情報が、他の住戸の空気質が悪い又は悪化しているという情報である場合は、外気が汚れているか、あるいは、空気質を悪くする要因が住戸内に存在していると推測できる。
【００７８】
一方、他の住戸の窓２０の開閉状態に関する情報が、開状態の窓２０がほとんど存在しないという情報である場合、外気が汚れているから他のユーザは窓開けを行っていないと推測できる。したがって、この場合、ユーザは、自身の住戸の窓２０の窓開けを行っても室内の空気質を改善できないと判断できる。
【００７９】
また、この場合において、さらに、報知された空気質情報が、空気質が悪い住戸が多いという情報である場合、又は、他の住戸の空気質が自身の住戸の空気質よりも悪いという情報である場合、外気が汚れているから他のユーザは窓開けを行っていないと推測できる。したがって、この場合、ユーザは、自身の住戸の窓２０の窓開けを行っても室内の空気質を改善できないと判断できる。
【００８０】
特に、他の住戸の窓２０の開閉状態に関する情報として、閉状態から開状態へと変化する状態である閉開遷移状態の窓２０が含まれ、且つその直後に住戸の空気質情報として空気質が良いという情報がある場合には、外気を取り込むことによって空気質が改善したと推測することができる。即ち、現在の外気が汚れていないと推測することができる。
【００８１】
なお、本実施の形態において、所定の情報の報知を受けたユーザの住戸に空気質改善装置７０が設置されている場合には、窓開けによって換気を行うのではなく、空気質改善装置の運転を開始させることによって換気を行ってもよい。
【００８２】
以上説明したように、本実施の形態における統合コントローラ１０Ａ（空気質監視装置）は、マンション２００の各住戸の空気質センサ６０から空気質情報を収集する空気質情報収集部１５と、空気質情報収集部１５で収集した空気質情報に基づいて各住戸の空気質を判断する空気質判断部１６と、空気質判断部１６によって各住戸の少なくとも１つの空気質が悪化した状態であると判断された場合に複数の住戸の窓２０に対応する窓センサ３０から収集した窓情報に基づいて当該複数の住戸の窓２０が窓開状態であるか否かを判断する窓開状態判断部１２と、窓開状態判断部１２によって複数の住戸の窓２０の少なくとも１つが窓開状態であると判断された場合に複数の住戸の少なくとも１つのユーザ端末５０に所定の情報を報知させる報知部１３とを備えている。また、本実施の形態における空気質監視システム２は、上記統合コントローラ１０Ａを有する。
【００８３】
したがって、本実施の形態における空気質監視システム２及び統合コントローラ１０Ａによれば、窓開けを行うか否かの適切な情報をユーザに提供することができる。具体的には、窓開けに適しているか否かの情報として各住戸の空気質情報がリアルタムでユーザに報知される。これにより、当該住戸のユーザは、他のユーザの住戸の空気質から外気の空気質の状態を推測することができる。したがって、外気の空気質が悪いと考えられるときには窓開けを行わず、一方、外気の空気質が良いと考えられるときに窓開けを行うことができる。
【００８４】
つまり、本実施の形態でも、外気の空気質の状態を直接把握することができなくても、外気の空気質が良いと推測できるタイミングで適切に窓開けを行うことが可能となる。この結果、当該住戸における室内の空気質を改善できる確率を高めることができる。
【００８５】
また、本実施の形態では、窓開状態判断部１２によって窓２０が開状態を判断するだけではなく、住戸内の空気質センサから空気質情報を収集して空気質判断部１６によって当該住戸の空気質も判断している。
【００８６】
これにより、住戸内の空気質の変化の原因が住戸外にあるか否か推測することができる。例えば、窓２０が開状態であるのに住戸内の空気質が悪い場合は、住戸内の空気質が悪くなった原因は外気が汚れているからであると推測できる。あるいは、窓２０が閉状態であるのに住戸内の空気質が悪い場合は、住戸内の空気質が悪くなった原因は住戸内の空気質が汚れているからであると推測できる。これにより、ユーザが自身の窓開けの判断を行うにあたり、他のユーザの住戸内に空気質を悪化させる原因があった場合の影響を排除することができる。この結果、実施の形態１と比べて、ユーザ自身の住戸における室内の空気質を改善できる確率をさらに高めることができる。
【００８７】
なお、本実施の形態における空気質監視システム２及び統合コントローラ１０Ａにおいても、窓開けに適しているか否かの今後の予測情報をユーザに提供することもできるし、窓開けを行った後、室内の空気質の改善予測（レベル、時間）又は悪化予測（レベル、時間）をユーザに提供することもできる。
【００８８】
（実施の形態３）
次に、実施の形態３に係る空気質監視システム３及び空気質監視装置（統合コントローラ１０Ｂ）について、図５を用いて説明する。図５は、実施の形態３に係る空気質監視システム及び空気質監視装置の構成を説明するための図である。
【００８９】
本実施の形態における空気質監視システム３及び空気質監視装置（統合コントローラ１０Ｂ）は、上記実施の形態２における空気質監視システム２及び空気質監視装置（統合コントローラ１０Ａ）に対して、さらに、空気質改善状況測定部１７を備えるものである。
【００９０】
空気質改善状況測定部１７は、住戸に設置された窓２０を閉めた後、空気質改善装置７０の運転により、当該住戸における空気質の改善が完了するまでの時間、又は、当該住戸における空気質の経時変化を、改善状況として測定する。
【００９１】
そして、本実施の形態における報知部１３は、さらに、空気質改善状況測定部１７によって得られた改善状況をユーザ端末５０に通知して報知させる。
【００９２】
以上、本実施の形態における統合コントローラ１０Ｂ（空気質監視装置）及び空気質監視システム３によれば、実施の形態２と同様に、実施の形態１における空気質監視システム１及び空気質監視装置（統合コントローラ１０）と同様の効果が得られる。
【００９３】
また、本実施の形態では、空気質改善状況測定部１７によって、住戸に設置された窓２０を閉めた後、空気質改善装置７０の運転により、当該住戸における空気質の改善が完了するまでの時間、又は、当該住戸における空気質の経時変化を、改善状況として測定している。
【００９４】
これにより、窓２０を閉めた後に住戸の室内の空気質が悪化している場合、空気質改善装置７０によって自動で室内の空気質を改善することができる。しかも、この場合、空気質改善装置７０によって空気質の改善が開始してから完了するまでの時間や空気質の経時変化を測定することによって、これらの情報を他の住戸のユーザに提供することができる。なお、これらの情報はユーザ端末５０に報知させることができる。
【００９５】
また、空気質改善状況測定部１７によって改善状況を測定することによって、窓２０を開けるか否かの判断基準を増やすことができる。例えば、空気質があまり改善していなければ窓開けを行う判断できるし、一方、空気質が改善していれば窓開けを行わないと判断できる。これにより、空気質を改善できる確率を一層高めることができる。
【００９６】
（変形例）
以上、本発明に係る空気質監視装置及び空気質監視システムについて、実施の形態に基づいて説明したが、本発明は、これらの実施の形態に限定されない。
【００９７】
例えば、本発明は、図６に示すように、上記の実施の形態２における空気質監視システム２が導入されたマンション２００を複数、サーバ８０で接続することによって構成された空気質監視システム４としてもよい。つまり、複数の空気質監視装置１０Ａを１つのサーバ８０で管理して、サーバ８０に全ての情報を集約してもよい。
【００９８】
また、上記の実施の形態において、各住戸に宅内コントローラ４０を設置したが、宅内コントローラ４０は必ずしも必要ではない。この場合、統合コントローラと各住戸における窓センサ３０等とが直接通信できるように構成されていればよい。
【００９９】
また、上記の実施の形態では、統合コントローラを空気質監視装置としたが、図７に示すように、宅内コントローラ４０Ａを空気質監視装置として空気質監視システム５を構成してもよい。この場合、例えば、図７に示すように、複数の住戸３０１及び３０２の各々に、空気質監視装置である宅内コントローラ４０Ａを設置する。図７に示される宅内コントローラ４０Ａは、例えば、窓情報収集部１１、窓開状態判断部１２、報知部１３、記憶部１４、空気質情報収集部１５及び空気質判断部１６の処理部を備えているが、これらの中の一部の処理部を備えるように構成されていてもよい。このように、図７に示される空気質監視装置（宅内コントローラ４０Ａ）及び空気質監視システム５のように、宅内コントローラ４０Ａによってマンション３００の複数の住戸（例えば全戸）の情報を集約してもよい。
【０１００】
また、上記の実施の形態において、所定範囲内にある複数の空間として、マンション（集合住宅）内の複数の住戸を例示したが、所定範囲内にある複数の空間は、アパート内の複数の住戸、オフィスビル内の複数の店舗、又は、特定の地域における複数の近隣住宅であってもよい。
【０１０１】
また、上記の実施の形態において、宅内コントローラとユーザ端末（モニタ）は別体としたが、宅内コントローラとユーザ端末（モニタ）は一体（同一機器）であってもよい。
【０１０２】
また、上記の実施の形態において、特定の処理部が実行する処理を別の処理部が実行してもよい。また、処理を実行する順番が変更されてもよいし、複数の処理が並行して実行されてもよい。
【０１０３】
また、本発明は、空気質監視システムとして実現できるだけでなく、空気質監視システムを構成する各構成要素が行うステップ（処理）を含む方法として実現できる。例えば、それらのステップは、コンピュータによって実行される。そして、本発明は、それらの方法に含まれるステップを、コンピュータに実行させるためのプログラムとして実現できる。さらに、本発明は、そのプログラムを記録したＣＤ−ＲＯＭ等である非一時的なコンピュータ読み取り可能な記録媒体として実現できる。
【０１０４】
例えば、本発明が、プログラム（ソフトウェア）で実現される場合には、コンピュータのＣＰＵ、メモリ及び入出力回路等のハードウェア資源を利用してプログラムが実行されることによって、各ステップが実行される。つまり、ＣＰＵがデータをメモリ又は入出力回路等から取得して演算したり、演算結果をメモリ又は入出力回路等に出力したりすることによって、各ステップが実行される。
【０１０５】
また、空気質監視システムに含まれる複数の構成要素は、それぞれ、専用又は汎用の回路として実現されてもよい。これらの構成要素は、１つの回路として実現されてもよいし、複数の回路として実現されてもよい。
【０１０６】
また、モニタリングシステムに含まれる複数の構成要素は、集積回路（ＩＣ：Ｉｎｔｅｇｒａｔｅｄ  Ｃｉｒｃｕｉｔ）であるＬＳＩ（Ｌａｒｇｅ  Ｓｃａｌｅ  Ｉｎｔｅｇｒａｔｉｏｎ）として実現されてもよい。これらの構成要素は、個別に１チップ化されてもよいし、一部又は全てを含むように１チップ化されてもよい。ＬＳＩは、集積度の違いにより、システムＬＳＩ、スーパーＬＳＩ又はウルトラＬＳＩと呼称される場合がある。
【０１０７】
また、集積回路はＬＳＩに限られず、専用回路又は汎用プロセッサで実現されてもよい。プログラム可能なＦＰＧＡ（Ｆｉｅｌｄ  Ｐｒｏｇｒａｍｍａｂｌｅ  Ｇａｔｅ  Ａｒｒａｙ）、又は、ＬＳＩ内部の回路セルの接続及び設定が再構成可能なリコンフィギュラブル・プロセッサが、利用されてもよい。
【０１０８】
その他、実施の形態に対して当業者が思いつく各種変形を施して得られる形態や、本発明の趣旨を逸脱しない範囲で実施の形態における構成要素及び機能を任意に組み合わせることで実現される形態も本発明に含まれる。
【符号の説明】
【０１０９】
１、２、３、４、５  空気質監視システム
１０、１０Ａ、１０Ｂ  統合コントローラ（空気質監視装置）
１１  窓情報収集部
１２  窓開状態判断部
１３  報知部
１４  記憶部
１５  空気質情報収集部
１６  空気質判断部
２０  窓
３０  窓センサ
４０、４０Ａ  宅内コントローラ
５０  ユーザ端末
６０  空気質センサ
７０  空気質改善装置
１０１、１０２、１０３、１０４、１０５、２０１、２０２、２０３、２０４、３０１、３０２  住戸（空間）
【図１】
2016021150.tif 000003
【図２】
2016021150.tif 000004
【図３】
2016021150.tif 000005
【図４】
2016021150.tif 000006
【図５】
2016021150.tif 000007
【図６】
2016021150.tif 000008
【図７】
2016021150.tif 000009
【手続補正書】
【提出日】平成28年11月10日(2016.11.10)
【手続補正１】
【補正対象書類名】特許請求の範囲
【補正対象項目名】全文
【補正方法】変更
【補正の内容】
【特許請求の範囲】
【請求項１】
所定範囲内にある複数の空間の窓に対応して設置された窓センサから窓情報を収集する窓情報収集部と、
前記窓情報収集部で収集した前記窓情報に基づいて、前記複数の空間の窓が窓開状態であるか否かを判断する窓開状態判断部と、
前記窓開状態判断部によって前記複数の窓の少なくとも１つが前記窓開状態であると判断された場合、前記複数の空間の少なくとも１つのユーザ端末に所定の情報を報知させる報知部とを備え、
前記窓開状態は、窓が開けられている状態である開状態、又は、窓が閉められている状態である閉状態から前記開状態へと変化する状態である閉開遷移状態である
空気質監視装置。
【請求項２】
前記所定の情報は、前記複数の窓のうち、前記窓開状態となっている窓の割合である
請求項１に記載の空気質監視装置。
【請求項３】
所定範囲内にある複数の空間の窓に対応して設置された窓センサから窓情報を収集する窓情報収集部と、
前記窓情報収集部で収集した前記窓情報に基づいて、前記複数の空間の窓が窓開状態であるか否かを判断する窓開状態判断部と、
所定範囲内にある複数の空間に設置された空気質センサから空気質情報を収集する空気質情報収集部と、
前記空気質情報収集部で収集した前記空気質情報に基づいて、前記複数の空間の空気質を判断する空気質判断部と、
前記窓開状態判断部によって前記複数の空間の窓の少なくとも１つが前記窓開状態であり、且つ前記空気質判断部によって前記複数の空間の少なくとも１つの空気質が悪い状態であると判断された場合に、前記複数の空間の少なくとも１つのユーザ端末に所定の情報を報知させる報知部とを備える
空気質監視装置。
【請求項４】
前記窓開状態判断部は、前記窓情報に基づいて、前記複数の窓が、窓が閉められている状態である閉状態から窓が開けられている状態である開状態へと変化する状態である閉開遷移状態であるか否かを判断し、
前記空気質判断部は、当該閉開遷移状態の窓が設置された前記空間の空気質を判断する
請求項３に記載の空気質監視装置。
【請求項５】
前記所定の情報は、前記複数の空間のうち、空気質が悪い状態の空間である
請求項３又は４に記載の空気質監視装置。
【請求項６】
前記所定範囲内の前記複数の空間は、集合住宅における複数の住戸であり、
前記空気質判断部によって前記複数の住戸のうちの一の住戸の空気質が悪化したと判断された場合に、前記報知部は、前記複数の住戸のうちの他の住戸における前記ユーザ端末に前記所定の情報を報知させる
請求項３〜５のいずれか１項に記載の空気質監視装置。
【請求項７】
請求項３〜６のいずれか１項に記載の空気質監視装置と、
前記空気質センサと、
前記複数の空間に設置された複数の窓に対応する窓センサとを備える
空気質監視システム。
【請求項８】
所定範囲内にある複数の空間の窓に対応した窓情報を収集するステップと、
収集した前記窓情報に基づいて、前記複数の空間の窓が窓開状態であるか否かを判断する判断ステップと、
前記判断ステップによって前記複数の窓の少なくとも１つが前記窓開状態であると判断された場合、前記複数の空間の少なくとも１つのユーザ端末に所定の情報を報知させる報知ステップとを含み、
前記窓開状態は、窓が開けられている状態である開状態、又は、窓が閉められている状態である閉状態から前記開状態へと変化する状態である閉開遷移状態である
空気質監視方法。
【請求項９】
コンピュータに請求項８に記載の空気監視方法を実行させる
プログラム。
【国際調査報告】
2016021150.tif 000010
2016021150.tif 000011
2016021150.tif 000012
2016021150.tif 000013